(57)【要約】【課題】 無線トランシーバシステムを備えたメガネ構造を提供する。【解決手段】  メガネフレームを含み、該メガネフレームは内部にメガネレンズを嵌合する嵌合部を有し、両自由端上にそれぞれ第一、二メガネツルに可動接続する可動接続部を設けている。該メガネフレーム中央位置には、挿入孔及び該挿入孔と相互に通じる貫通孔を設置し、ネジにより該挿入孔及び該貫通孔を貫通し鼻梁フレームをメガネフレーム上に接続固定する。同時に第一メガネツル上には無線トランシーバシステムを設置し、使用者がメガネを掛けるとイヤホーンは耳穴に装着され、無線信号が伝送されると該無線信号は自動的に切り換えられ、情報は該無線通信技術を通して直接該無線トランシーバシステムに伝送され、使用者は送受話器を持たなくとも相手と通話を行うことができる。【選択図】  図  １
0003122306.tif 000002
【実用新案登録請求の範囲】
【請求項１】
メガネフレーム、メガネツル、鼻梁フレーム、メガネレンズ、無線トランシーバシステムを含み、
前記メガネフレーム内に中空状を呈する嵌合部を設け、両自由端上にそれぞれ可動接続部を設け、該メガネフレーム中央位置に挿入孔及び該挿入孔と相互に通じる貫通孔を設けてネジを前記挿入孔及び貫通孔に貫通し、
前記メガネツルを第一メガネツルと第二メガネツルとにより構成し、該第一、二メガネツルの前端にそれぞれ可動接続部と可動接続するピボットを設け、さらに前記第一、二メガネツル末端にそれぞれ凹孔を設け、
前記鼻梁フレームを前記メガネフレームの中央位置に位置する挿入孔中に組合せて、ネジにより該貫通孔を貫通し該鼻梁フレームをメガネフレーム上に接続固定し、
前記メガネレンズ上に背面部を設け、該背面部両端にそれぞれ凸部を設け、該背面部中央にネジ上に嵌接する嵌合孔を設け、
前記無線トランシーバシステムを前記第一或いは第二メガネツル上に配置する
ことを特徴とする無線トランシーバシステムを備えたメガネ構造。
【請求項２】
前記メガネフレームは、湾曲弧状を呈することを特徴とする請求項１記載の無線トランシーバシステムを備えたメガネ構造。
【請求項３】
前記可動接続部は、縦方向開口及び横方向開口を有し、２個の開口は相互に貫通する十字型可動接続部を形成することを特徴とする請求項１記載の無線トランシーバシステムを備えたメガネ構造。
【請求項４】
前記ピボット上には、横方向軸部を有し、該横方向軸部の縦方向は相対称の縦方向軸部をそれぞれ延伸し、該縦方向軸部は円柱体両側に軸方向平面切断面を有することを特徴とする請求項１記載の無線トランシーバシステムを備えたメガネ構造。
【請求項５】
前記鼻梁フレームは、金属サポートフレームを有し、該サポートフレームの一端には挿入孔に挿入する連接片を設け、該連接片上にネジにより貫通する穿孔を有し、前記サポートフレーム反対端に２本の支柱を延伸し、該支柱にポリカーボネート樹脂材質により形成した嵌管をそれぞれ嵌接し、さらにゴム製の鼻パッドを組み立て、該鼻パッド上に鼻梁上を跨ぐブリッジを設け、該ブリッジ両端にそれぞれ鼻クッションを設け、該鼻クッション内に嵌入孔を形成し、該嵌入孔は前記嵌管を嵌合する支柱を組立て可能であることを特徴とする請求項１記載の無線トランシーバシステムを備えたメガネ構造。
【請求項６】
前記メガネレンズは、熱可塑性プラスチック材質で透明度の異なる色彩のサングラスレンズとすることもできることを特徴とする請求項１記載の無線トランシーバシステムを備えたメガネ構造。
【請求項７】
前記無線トランシーバシステムは、前記第一或いは第二メガネツルと一体に形成する蓋体を有し、該蓋体上に音量及び電源のオン/オフを制御可能な複数のボタンを設け、内部に送受信チップ、充電バッテリー、マイク、充電プラグ及び前記蓋体外部に延伸するイヤホーンを配置し、該イヤホーンをメガネツルの凹孔中に配置可能であることを特徴とする請求項１記載の無線トランシーバシステムを備えたメガネ構造。
【請求項８】
前記鼻粱フレームのサポートフレーム上には、光学フレーム面を配置し、該光学フレーム面の中梁前端に２本の突起を設け、該２本の突起内にそれぞれ嵌槽を設け、該嵌槽は前記光学フレーム面を鼻梁フレームのサポートフレーム上に挟持設置することを特徴とする請求項１記載の無線トランシーバシステムを備えたメガネ構造。
【請求項９】
前記第一メガネツル上の無線トランシーバシステムは、使用しないときには、前記ピボット及び可動接続部により第一メガネツルを取外し、第二メガネツルと同一のメガネツルに交換して使用可能であることを特徴とする請求項１記載の無線トランシーバシステムを備えたメガネ構造。
【請求項１０】
前記第一、二メガネツルは、前記ピボット及び可動接続部により交換使用が可能であることを特徴とする請求項１記載の無線トランシーバシステムを備えたメガネ構造。
【考案の詳細な説明】
【技術分野】
【０００１】
本考案は、メガネ構造に係り、特に無線トランシーバシステムを備えたメガネ構造に関する。
【背景技術】
【０００２】
人類の経済活動が活発になるに連れて、短距離無線通信技術は徐々に重視されるようになって来ている。そのうち、無線トランシーバシステムの使用は、一般の無線通信システム、ブルートゥースシステム、ワイヤレスインターネットシステム、ラジオ、無線通信機器等を含み、低価格、低消費電力に加えて、音声データ伝送も可能であるため注目を集めている。
【０００３】
業界では、通信或いは音声伝送無線技術によりフリーハンドの送受話器形態を開発しており、使用者は耳に装着し使用することができる。無線通信信号が伝送されて来ると、使用者はボタンを押す必要もなく、信号は無線トランシーバシステムを通してフリーハンドの送受話器上に伝送され、使用者は送受話器を手に持つ必要なく通話を行うことができるようになっている。
【０００４】
上記のように無線トランシーバシステムは、フリーハンドの送受話器として製造され、これにより使用者は耳に装着し使用することができる。しかしながら、メガネ或いはサングラスの使用者にとっては、同じ耳の上にメガネのツルの他に、さらにフリーハンド送受話器を装着しなければならないため、耳にとっては重量増という負担になっており、使用及び携帯において極めて不便である。
【考案の開示】
【考案が解決しようとする課題】
【０００５】
従来の構造には、以下の欠点があった。
【０００６】
すなわち、従来の耳に装着して使用するフリーハンドの送受話器形態は、メガネ或いはサングラスの使用者にとっては、同じ耳の上にメガネのツルの他にさらにフリーハンド送受話器を装着しなければならないため、重量が掛かり耳への負担になって、使用及び携帯において極めて不便である。
【０００７】
本考案はこれらの事情に鑑みてなされたものであり、上記構造の問題点を解決した無線トランシーバシステムを備えたメガネ構造を提供することを目的とする。
【課題を解決するための手段】
【０００８】
上記課題を解決するため、本考案の一形態による無線トランシーバシステムを備えたメガネ構造は、メガネフレーム、メガネツル、鼻梁フレーム、メガネレンズ、無線トランシーバシステムを含み、
前記メガネフレーム内に中空状を呈する嵌合部を設け、両自由端上にそれぞれ可動接続部を設け、該メガネフレーム中央位置に挿入孔及び該挿入孔と相互に通じる貫通孔を設けてネジを前記挿入孔及び貫通孔に貫通し、
前記メガネツルを第一メガネツルと第二メガネツルとにより構成し、該第一、二メガネツルの前端にそれぞれ可動接続部と可動接続するピボットを設け、さらに前記第一、二メガネツル末端にそれぞれ凹孔を設け、
前記鼻梁フレームを前記メガネフレームの中央位置に位置する挿入孔中に組合せて、ネジにより該貫通孔を貫通し該鼻梁フレームをメガネフレーム上に接続固定し、
前記メガネレンズ上に背面部を設け、該背面部両端にそれぞれ凸部を設け、該背面部中央にネジ上に嵌接する嵌合孔を設け、
前記無線トランシーバシステムを前記第一或いは第二メガネツル上に配置している。
【考案の効果】
【０００９】
本考案によれば、無線トランシーバシステムとメガネとを結合させて、無線トランシーバシステムがメガネのツル上に直接装置され、使用上便利であるだけでなく、耳に対する負担がなく、さらにはメガネの流行スタイルを作り上げることができる。
【考案を実施するための最良の形態】
【００１０】
以下、図面を参照して本考案の実施例を説明する。
【実施例】
【００１１】
図１〜４に示すように、本考案一実施例の無線トランシーバシステムを備えたメガネ構造は、メガネフレーム１と、該メガネフレーム１に可動接続するメガネツル組２と、前記メガネフレーム１に組合わされる鼻梁フレーム３と、前記メガネフレーム１に嵌接されるメガネレンズ４と、前記メガネツル組２上に装置される無線トランシーバシステム５とにより組成される。
【００１２】
前記メガネフレーム１は、撓み性を有するプラスチック材により製造される。該メガネフレーム１は、湾曲弧状を呈している。該メガネフレーム１の内部には、中空状を呈する嵌合部１１が設けられている。該嵌合部１１は、メガネレンズ４を嵌接するための  ものである。また、該メガネフレーム１の両自由端上には、それぞれ可動接続部１２を備え、該可動接続部１２は縦方向開口１２１及び横方向開口１２２を有し、該２個の開口１２１、１２２は相互に貫通する十字型可動接続部１２を形成している。該縦方向開口１２１は、斜めに一定の角度を呈するため、前記メガネツル２のピボット２３に進入後は前記可動接続部１２中に可動接続される。前記メガネフレーム１中央位置には、挿入孔１３及び該挿入孔１３と相互に貫通する貫通孔１４（図４参照）を設け、該挿入孔１３及び該貫通孔１４により鼻梁フレーム３を組合わせるようになっている。
【００１３】
前記メガネツル２は、第一メガネツル２１と第二メガネツル２２により構成され、該第二メガネツル２１（第一メガネツル２１の構造と第二メガネツル２２の構造は同一であるため、第二メガネツル２２についてのみ説明する）の前端にはピボット２３を有し、該ピボット２３上には横方向軸部２４を設けている。該横方向軸部２４の縦方向は、相対称の縦方向軸部２５をそれぞれ延伸し、該縦方向軸部２５は円柱体でその両側には軸方向平面切断面２６を備えている。該軸方向平面切断面２６により前記ピボット２３は、前記可動接続部１２中に順調に進入し可動接続する。さらに前記第二メガネツル２２末端には、凹孔２７があり、該凹孔２７にはイヤホーン５３を装置するようになっている。前記第一メガネツル２１及び該第二メガネツル２２は、前記ピボット２３と可動接続部１２により組合せ/分解が容易で、入れ換え使用することが可能になっている。
【００１４】
前記鼻梁フレーム３は、前記メガネフレーム１の中央に位置する挿入孔１３中に設置され、ネジ１５により貫通孔１４を貫通してメガネフレーム１上に設置される。同時に、該鼻梁フレーム３は、鼻梁の高さ及び幅を調整することができるようになっている（後述する）。
【００１５】
前記メガネレンズ４は、熱可塑性プラスチック材質で、透明で様々な色のサングラスレンズとすることができる。該メガネレンズ４の背面部４１両端には、それぞれ凸部４２を設置し、該メガネレンズ４の背面部４１が該メガネフレーム１の嵌合部１１に嵌接する時、該２個の凸部４２は該嵌合部１１内部両端に嵌入し、該背面部４１中央の嵌合孔４３は該ネジ１５上に嵌接する。
【００１６】
前記無線トランシーバシステム５は、前記第一或いは第二メガネツル２１、２２上に配置し、該第一或いは該第二メガネツル２１、２２と一体に形成する蓋体５１を備えている。該蓋体５１上には、音量及び電源のオン/オフなどを制御可能な複数のボタン５２を設けている。また、該蓋体５１の内部には、無線送受信チップ、充電バッテリー、マイク、充電プラグ及び該蓋体５１外部に延伸するイヤホーン５３を配置することが可能になっている。前記イヤホーン５３は、前記第二メガネツル２１、２２の凹孔２７中に配置し、使用者は使用時には該イヤホーン５３を直接耳に装着可能で、使用しない時には、該イヤホーン５３を該凹孔２７中に固定することができる。
【００１７】
さらに、図５に示すように、前記メガネフレーム１の中央位置には、挿入孔１３及び該挿入孔１３と相互に貫通する貫通孔１４を設け、該ネジ１５により前記鼻梁フレーム３をメガネフレーム１上に接続固定するようになっている。前記鼻梁フレーム３は、金属サポートフレーム３１を有し、該サポートフレーム３１の一端には、挿入孔１３に挿入する連接片３１１を設けている。該連接片３１１上には、ネジ１５により貫通される穿孔３１２を設けている。該サポートフレーム３１の反対端には、２本の支柱３１３、３１４を延伸し、該支柱３１３、３１４にはポリカーボネート樹脂材質により形成される嵌管３２をそれぞれ嵌接し、さらにゴム製の鼻パッド３３と組み合わせている。該鼻パッド３３上には、鼻梁上を跨ぐブリッジ３３１を設け、該ブリッジ３３１両端にはそれぞれ鼻クッション３３２を設けている。該鼻クッション３３２内には、嵌入孔３３３を設け、該嵌入孔３３３は前記嵌管３２の支柱３１３、３１４を設置可能で、前記サポートフレーム３１、嵌管３２、鼻パッド３３の設計により、使用者は自身の鼻梁の高さ、幅に合わせてサイズを調整することができる。
【００１８】
次に、図６、７に示すように、前記メガネレンズ４とメガネフレーム１を嵌接するとき、該メガネレンズ４の背面部４１をメガネフレーム１の嵌合部１１に嵌接後、メガネレンズ４の背面部４１中央の嵌合孔４３はネジ１５上に嵌接される。こうして、前記メガネレンズ４は、前記メガネフレーム１上に安定的に嵌接される。使用者が前記メガネレンズ４を交換する必要があるときには、前記メガネレンズ４を引き動かし、嵌合孔４３をネジ１５から離れさせれば、該メガネレンズ４を取り外すことができ、異なる色のメガネレンズ４に交換し使用することができる。
【００１９】
続いて、図８〜１２に示すように、前記メガネフレーム１とメガネツル組２を組み立てるとき、前記第二メガネツル２２をメガネフレーム１内側に寄せ、該メガネフレーム１の可動接続部１２と、斜めを向く第二メガネツル２２のピボット２３とをメガネフレーム１の可動接続部１２中に斜めに挿入する。この時、前記ピボット２３の横方向軸部２４及び縦方向軸部２５と横方向開口１２２及び縦方向開口１２１は、可動接続状態を呈し、さらに第二メガネツル２２を外側へと動かした後、第二メガネツル２２とメガネフレーム１とは一緒に可動接続され、使用者はメガネフレーム１及びメガネツル組２を鼻粱及び耳に装着することができる。
【００２０】
さらに、図１３〜１５に示すように、本実施例の無線トランシーバシステムを備えたメガネを使用するときに、使用者が近視、遠視或いは老眼であるなら、前記鼻梁フレーム３のサポートフレーム３１上に光学フレーム面６を配置する。前記光学フレーム面６中の梁柱前端には、２個の突起６１、６２を設け、該２個の突起６１、６２内にはそれぞれ嵌槽６３、６４を設けている。該嵌槽６３、６４は、光学フレーム面６を鼻梁フレーム３のサポートフレーム３１上に挟持して設置し、近視、遠視或いは老眼の使用者は無線トランシーバシステム５を備えたメガネを掛けた後、理想的な視力を発揮することができる。
【００２１】
図１６に示すように、使用者が無線トランシーバシステム５を備えたメガネを掛けた後は、第一メガネツル２１上の無線トランシーバシステム５は延伸しイヤホーン５３は耳穴に入り、使用者の無線通信信号が伝送されて来たときには、無線信号は無線トランシーバシステム５上に伝送され、使用者は無線トランシーバシステム５のイヤホーン５３と内蔵するマイクを通して会話をすることができ、フリーハンド送受話器の方式で携帯電話を使用可能とする。
【００２２】
さらに、図１７に示すように、本実施例の第一メガネツル２１上の無線トランシーバシステム５を使用しないときには、ピボット２３及び可動接続部１２の組合せを解除し、第一メガネツル２１を取外し、第二メガネツル２２と同一のメガネツルを配置することができる。こうして元々第一メガネツル２１が可動接続されていた位置において可動接続し、先程まで無線トランシーバシステムであったメガネは、一般のメガネ或いはサングラスとして使用することができる。
【図面の簡単な説明】
【００２３】
【図１】本考案一実施例の無線トランシーバシステムを備えたメガネ構造の分解斜視図である。
【図２】図１の組合せ斜視図である。
【図３】図１のメガネフレームとメガネツル可動接続構造の局部拡大斜視図である。
【図４】図１のメガネレンズとメガネフレーム組合せの拡大斜視図である。
【図５】図１の鼻梁フレームとメガネフレームの分解斜視図である。
【図６】一実施例のメガネレンズとメガネフレームの組合せ断面説明図である。
【図７】一実施例のメガネレンズとメガネフレームの組合せ断面説明図である。
【図８】一実施例のメガネフレームとメガネツル組の可動接続動作説図である。
【図９】一実施例のメガネフレームとメガネツル組の可動接続動作説図である。
【図１０】一実施例のメガネフレームとメガネツル組の可動接続動作説図である。
【図１１】一実施例のメガネフレームとメガネツル組の可動接続動作説図である。
【図１２】一実施例のメガネフレームとメガネツル組の可動接続動作説図である。
【図１３】本考案第一実施例の斜視図である。
【図１４】図１３の局部分解斜視図である。
【図１５】図１４の組合せ説明図である。
【図１６】一実施例の使用状態を示す説明図である。
【図１７】第二実施例の斜視図である。
【符号の説明】
【００２４】
１  メガネフレーム
１１  嵌合部
１２  可動接続部
１２１  縦方向開口
１２２  横方向開口
１３  挿入孔
１４  貫通孔
１５  ネジ
２  メガネツル
２１  第一メガネツル
２２  第二メガネツル
２３  ピボット
２４  横方向軸部
２５  縦方向軸部
２６  軸方向平面切断面
２７  凹孔
３  鼻梁フレーム
３１  金属サポートフレーム
３１１  連接片
３１２  穿孔
３１３、３１４  支柱
３３  鼻パッド
３３１  ブリッジ
３３２  鼻クッション
３３３  嵌入孔
３２  嵌管
４  メガネレンズ
４１  背面部
４２  凸部
４３  嵌合孔
５  無線トランシーバシステム
５１  蓋体
５２  ボタン
５３  イヤホーン
６  光学フレーム面
６１、６２  突起
６３、６４  嵌槽
【図１】
0003122306.tif 000003
【図２】
0003122306.tif 000004
【図３】
0003122306.tif 000005
【図４】
0003122306.tif 000006
【図５】
0003122306.tif 000007
【図６】
0003122306.tif 000008
【図７】
0003122306.tif 000009
【図８】
0003122306.tif 000010
【図９】
0003122306.tif 000011
【図１０】
0003122306.tif 000012
【図１１】
0003122306.tif 000013
【図１２】
0003122306.tif 000014
【図１３】
0003122306.tif 000015
【図１４】
0003122306.tif 000016
【図１５】
0003122306.tif 000017
【図１６】
0003122306.tif 000018
【図１７】
0003122306.tif 000019